(57)【要約】      （修正有）【課題】外反母趾の予防や矯正に有効であり、履き物としてのデザインの幅が広げることのできるインソールを提供する。【解決手段】足の土踏まず部が他の領域より厚いインソール底部２と、足の第２趾８と第３趾９の間に位置する底面部に設けられたスペーサー３と、足の最大幅を形成する左右側面部２ａ、２ｂのそれぞれとスペーサー３の間に設けられた伸縮自在バンド４とを備えている。【選択図】図３
0003199894.tif 000002
【実用新案登録請求の範囲】
【請求項１】
足の土踏まず部が他の領域より厚いインソール底部と、前記足の第２趾と第３趾の間に位置する前記インソール底部に設けられたスペーサーと、前記インソール底部の前記足の最大幅を形成する左右側面部のそれぞれと前記スペーサーとの間に設けられた伸縮自在のバンドとを備えたインソール。
【請求項２】
実用新案登録請求の範囲第１項に記載のインソールを内部に有する履き物。
【考案の詳細な説明】
【技術分野】
【０００１】
本考案は、外反母趾の防止または矯正に適したインソール及び履き物に関する。
【背景技術】
【０００２】
従来の外反母趾予防・矯正に有効なインソール及び履き物は、踏み付け部がつま先部に向かって広くなっているものが知られている。（例えば、特許文献１参照）
また、靴内部底面の先端近傍で、足の第２趾と第３趾の間に支持突起を設けて外反母趾を感じないようにした履き物も知られている。(例えば、特許文献２参照)
【先行技術文献】
【特許文献】
【０００３】
【特許文献１】特開２００４―２１５８７０号公報
【特許文献２】実用新案登録第３０２９６０３号公報
【考案の概要】
【考案が解決しようとする課題】
【０００４】
特許文献１に記載のように、踏み付け部がつま先部に向かって広くなっているインソール及び履き物は、外反母趾にはなりたくないけれど、オシャレもしたいという特に女性にとって選択しにくい。
【０００５】
また、特許文献２のような構造では、履着時の痛みを感じないにしても、外反母趾の予防や矯正には不向きである。
【０００６】
本考案は、このような従来の外反母趾に有効なインソール及び履き物の問題を解決するものであり、外反母趾の予防、矯正が期待できると共に、足幅の引き締め効果、お洒落度アップを実現することを目的としている。
【課題を解決するための手段】
【０００７】
本考案のインソール及び履き物は、足の土踏まず部が他の領域より厚いインソール底部と、足の第２趾と第３趾の間に位置するインソール底部に設けられたスペーサーと、インソール底部の足の最大幅を形成する左右側面部のそれぞれとスペーサーとの間に設けられた伸縮自在のバンドとを備えている。
【考案の効果】
【０００８】
本考案によれば、足の第２趾と第３趾の間に位置するインソール底部に設けられたスペーサーと、インソール底部の足の最大幅を形成する左右側面部のそれぞれとスペーサーとの間に設けられた伸縮自在のバンドとにより、バランス良く足幅を引き締めてテーピング効果を期待できるとともに、これにより外反母趾の予防及び矯正が行える。また、足の土踏まず部が他の領域より厚いインソール底部を備えているので、インソール底部に接する足の位置がずれることなく、常に安定して外反母趾の予防及び矯正が行える。
【図面の簡単な説明】
【０００９】
【図１】本考案の実施の形態のインソールの斜面図
【図２】同インソール底部の側面図
【図３】同インソールの平面図
【図４】本考案の実施の形態のインソールを備えた履き物の一部断面側面図
【考案を実施するための形態】
【００１０】
以下、本考案の実施の形態を図１〜図４に基づいて説明する。
【００１１】
図１〜３に示すように、本実施の形態のインソール１は、足１０の土踏まず部６が他の領域より厚いインソール底部２と、足１０の第２趾８と第３趾９の間に位置するインソール底部２に設けられたスペーサー３と、インソール底部２の足１０の最大幅を形成する右側面部２ａ、左側面図２ｂのそれぞれとスペーサー３との間に設けられた伸縮自在のバンド４から構成される。
【００１２】
インソール底部２は、素材として、例えば、熱可塑性ウレタン、合成樹脂などからなり、踏み付け部５及び踵部７には柔軟性を、土踏まず部６には弾力性をもたせている。土踏まず部６の厚さは、踏み付け部５及び踵部７よりも厚い。この構成により、足１０がインソール底部２の上でずれて、移動することを抑えることができる。
【００１３】
スペーサー３は、足１０のつま先部分である第２趾８と第３趾９の間に位置するインソール底部２に設けられている。スペーサー３は、布、ゴム、革などが使用でき、履き物１１の材質に合わせて、例えば、ゴム、硬質合成樹脂板材などからなり、幅１５mm、長さ２０mm、高さ１５mmの偏平状の柱状態であり、上部にバンド４を通す穴が設けられている。
【００１４】
バンド４は、伸縮自在の１本のベルトからなり、スペーサー３を介して、インソール底部２の、足１０の最大幅を形成する右側面部２ａ、左側面部２ｂのそれぞれに、例えば縫い付けるなどして固定されている。バンド４は、伸縮自在であれば布、ゴム、革などが使用でき、履き物１１の材質に合わせて選択できる。バンド４は１本でなくても、スペーサー３と右側面部２ａを繋ぐバンドと、スペーサー３と左側面部２ｂを繋ぐバンドの２本で構成しても良い。
【００１５】
スペーサー３は、竹、プラスチック、革などを編んで偏平状の円筒状に形成し、その中に活性炭などの消臭剤を充填させても可能である。スペーサー３は、インソール底部２に接着剤やネジなどで固定される。
【００１６】
このようなインソール１は、図４に示すように、履き物１１の内部に固定して、又は敷いて使用することができる。
【００１７】
上記実施の形態では、インソールについての説明をしたが、インソール１と同様の形態で、インソール底部２の厚さを厚くしてサンダル、ミュール、下駄などに使用することもできる。
【００１８】
以上、説明してきたように、本考案は、第２趾と第３趾の間にスペーサーを設けることにより、スペーサーがつま先部のほぼ真ん中に位置することになる。したがって、この位置から、インソール底部の足の最大幅を形成する左右側面両部のそれぞれに設けられた伸縮自在のバンドは、左右同等の幅と長さになるので、バランス良く足幅を引き締めてテーピング効果を期待できる。さらに、これによって、外反母趾の原因のひとつである開張足を予防し、足裏の横アーチの保持に有効である。    
【００１９】
伸縮自在のバンドは、インソール底部の足の最大幅を形成する左右側面両部のそれぞれに設けられているので、このバンドの側面の位置は、例えば、すでに軽度の外反母趾で親指の付け根の関節が曲がり外に飛び出している位置と一致する。したがって、履着時にバンドがクッションとなり履き物にあたる時の痛みの緩和に有効である。
【００２０】
インソール底部の足の最大幅を形成する左右両側部に設けた伸縮自在のバンドの側面の位置は、従来の鼻緒等の位置（足の最大幅を形成する左右両側部より土踏まず側）よりつま先部に近くなるので、足のアッパー部のデザインの幅が広がる。
【００２１】
インソール底部の踵部に柔軟性、土踏まず部に弾力性をそれぞれ持たせることにより、履着時に踵部が下がるので、足の前滑りとスペーサーの食い込みを防げる。したがって、踵のある履き物にも有効である。また、つま先部にも柔軟性を持たせることにより、歩行時にしっかりと大地を掴みながら歩く感覚を保持し、アッパー部内とつま先上部の接触による圧迫感を減少させることができる。
【符号の説明】
【００２２】
１    インソール
２    インソール底部
２ａ  右側面部
２ｂ  左側面部
３    スペーサー
４    バンド
５    踏み付け部
６    土踏まず部
７    踵部
８    第２趾
９    第３趾
１０  足
１１  履き物  
【図１】
0003199894.tif 000003
【図２】
0003199894.tif 000004
【図３】
0003199894.tif 000005
【図４】
0003199894.tif 000006